(57)【要約】      （修正有）【課題】スタビライザの変形を防止する。【解決手段】本体部３０と、スタビライザ３６とを備えた端子金具２０であって、本体部３０は、底壁３１と、この底壁３１の両側縁から対向状態で延出された一対の対向壁３２、３３と、一方の対向壁３３の延出端３３Ａから他方の対向壁３２に向けて延出された内側天井壁３４と、他方の対向壁３２の延出端から内側天井壁３４の外面３４Ａに沿って一方の対向壁３３に向けて延出された外側天井壁３５とを備えて構成されており、スタビライザ３６は、外側天井壁３５から内側天井壁３４とは離れる方向に立ち上げられた突片３７を一方の対向壁３３の延出端に向けて折り返すことで片持ち状に形成され、一方の対向壁３３と内側天井壁３４とを連結する角部に凹設された凹部３８に突片３７の先端部３７Ｄが配されることで、同突片３７の先端部３７Ｄは凹部３８において一方の対向壁３３と内側天井壁３４の双方に当接可能でとする。【選択図】図１０
2015118914.tif 000002
【特許請求の範囲】
【請求項１】
角筒状をなす本体部と、
この本体部に突出して形成された突起部とを備えた端子金具であって、
前記本体部は、底壁と、この底壁の両側縁から対向状態で延出された一対の対向壁と、一方の対向壁の延出端から他方の対向壁に向けて延出された内側天井壁と、前記他方の対向壁の延出端から前記内側天井壁の外面に沿って前記一方の対向壁に向けて延出された外側天井壁とを備えて構成されており、
前記突起部は、前記外側天井壁から前記内側天井壁とは離れる方向に立ち上げられた突片を前記一方の対向壁の延出端に向けて折り返すことで片持ち状に形成され、前記一方の対向壁と前記内側天井壁との角部に凹設された凹部に前記突片の先端部が配されることで、同突片の先端部は前記凹部において前記一方の対向壁と前記内側天井壁の双方に当接可能とされていることを特徴とする端子金具。
【請求項２】
前記内側天井壁における前記突片の先端部との当接面は、前記内側天井壁の板厚方向の全域に亘って形成されていることを特徴とする請求項１に記載の端子金具。
【請求項３】
前記突起部は、前記一方の対向壁と面一をなす垂直壁を有していることを特徴とする請求項１または請求項２に記載の端子金具。
【請求項４】
前記一方の対向壁における前記垂直壁との当接面は、前記一方の対向壁の板厚方向の全域に亘って形成されていることを特徴とする請求項３に記載の端子金具。
【請求項５】
前記本体部がゴム栓の孔に挿入される際に前記突起部において前記ゴム栓と接触する接触縁には、面取り部が形成されていることを特徴とする請求項１ないし請求項４のいずれか一項に記載の端子金具。
【請求項６】
前記突起部は、前記突片の先端部が前記凹部に配された状態に保持する保持部を備えた請求項１ないし請求項５のいずれか一項に記載の端子金具。
【請求項７】
前記保持部は、前記外側天井壁に対して前記内側天井壁側から係止可能な保持突部を有している請求項６に記載の端子金具。
【請求項８】
前記突起部は、前記突片の前縁を一部切り欠くことで形成された切欠部を有しており、前記保持突部は、前記切欠部と前記突片の先端との間に形成されている請求項６または請求項７に記載の端子金具。
【発明の詳細な説明】
【技術分野】
【０００１】
本発明は、角筒状をなす本体部に突起部が突出して形成された端子金具に関する。
【背景技術】
【０００２】
この種の端子金具として、例えば下記特許文献１に記載の端子金具が知られている。この端子金具は、角筒状をなして前後方向に延びる本体部と、この本体部の外面に膨出して形成されてなるスタビライザ（以下、突起部という）とを備えて構成されている。この突起部は、本体部の天井壁において前後方向に沿う一端縁側を基端部として他端縁側に向けて片持ち状に延出されている。また、突起部の延出端部には係止部が設けられ、天井壁の他端縁には係止部と前後方向に係止可能な被係止部が設けられている。これにより、突起部の延出端部は、係止部と被係止部の係止によって前後方向への移動が規制されている。
【先行技術文献】
【特許文献】
【０００３】
【特許文献１】特開２００９−１１７２４４号公報
【発明の概要】
【発明が解決しようとする課題】
【０００４】
しかしながら、上記の突起部では、天井壁の他端縁側から一端縁側へ向かう力が作用した場合、座屈して変形する等のおそれがある。また、突起部に対して上から力が作用した場合、突起部が開いて変形する等のおそれがある。このような力が突起部に作用する一例として、例えば端子金具をゴム栓の孔に挿入する際にゴム栓の反力を受ける場合が挙げられる。
【０００５】
本発明は上記のような事情に基づいて完成されたものであって、突起部の変形を防止することを目的とする。
【課題を解決するための手段】
【０００６】
本発明は、角筒状をなす本体部と、この本体部に突出して形成された突起部とを備えた端子金具であって、本体部は、底壁と、この底壁の両側縁から対向状態で延出された一対の対向壁と、一方の対向壁の延出端から他方の対向壁に向けて延出された内側天井壁と、他方の対向壁の延出端から内側天井壁の外面に沿って一方の対向壁に向けて延出された外側天井壁とを備えて構成されており、突起部は、外側天井壁から内側天井壁とは離れる方向に立ち上げられた突片を一方の対向壁の延出端に向けて折り返すことで片持ち状に形成され、一方の対向壁と内側天井壁とを連結する角部に凹設された凹部に突片の先端部が配されることで、同突片の先端部は凹部において一方の対向壁と内側天井壁の双方に当接可能とされている構成としたところに特徴を有する。
【０００７】
このような構成によると、突起部を構成する突片の先端部が凹部において内側天井壁に当接可能とされているから、一方の対向壁の延出端から他方の対向壁の延出端へ向かう力が作用した場合であっても突起部が変形することを防止できる。
【０００８】
本発明の実施の態様として、以下の構成が好ましい。
内側天井壁における突片の先端部との当接面は、内側天井壁の板厚方向の全域に亘って形成されている構成としてもよい。
このような構成によると、突片の先端部が内側天井壁に対して板厚方向の全域に亘って当接することになるから、突起部の変形を確実に防止することができる。
【０００９】
突起部は、一方の対向壁と面一をなす垂直壁を有している構成としてもよい。
このような構成によると、垂直壁が一方の対向壁に対して面一に当接することになるから、突起部を受け止めやすい構造となる。
【００１０】
一方の対向壁における垂直壁との当接面は、一方の対向壁の板厚方向の全域に亘って形成されている構成としてもよい。
このような構成によると、垂直壁が一方の対向壁に対して板厚方向の全域に亘って当接することになるから、突起部を力強く受け止めることができる。
【００１１】
本体部がゴム栓の孔に挿入される際に突起部においてゴム栓と接触する接触縁には、面取り部が形成されている構成としてもよい。
このような構成によると、本体部をゴム栓の孔に挿入する際に面取り部がゴム栓に接触することになり、突起部によってゴム栓に傷が付くことを防止できる。
【００１２】
前記突起部は、前記突片の先端部が前記凹部に配された状態に保持する保持部を備えた構成としてもよい。
このような構成によると、突片の先端部が凹部からはみ出した状態となって、例えばリテーナ等の樹脂部を通過する際に、樹脂部を傷付けるおそれがない。
【００１３】
前記保持部は、前記外側天井壁に対して前記内側天井壁側から係止可能な保持突部を有している構成としてもよい。
このような構成によると、保持突部を外側天井壁に係止させることで突片の先端部が凹部に配された状態に保持することができる。
【００１４】
前記突起部は、前記突片の前縁を一部切り欠くことで形成された切欠部を有しており、前記保持突部は、前記切欠部と前記突片の先端との間に形成されている構成としてもよい。
このような構成によると、外側天井壁の端部を切欠部に収容することによって保持突部を外側天井壁に係止させることができる。
【発明の効果】
【００１５】
本発明によれば、突起部の変形を防止することができる。
【図面の簡単な説明】
【００１６】
【図１】実施形態１の端子金具付き電線を示した斜視図
【図２】端子金具付き電線の平面図
【図３】端子金具付き電線の側面図
【図４】端子金具付き電線の正面図
【図５】端子金具付き電線を一括ゴム栓に挿入する様子を示した斜視図
【図６】端子金具の平面図
【図７】端子金具の側面図
【図８】端子金具の正面図
【図９】端子金具の背面図
【図１０】図７におけるＡ−Ａ線断面図
【図１１】実施形態２の端子金具の側面図
【図１２】実施形態３の端子金具付き電線を示した斜視図
【図１３】端子金具付き電線の側面図
【図１４】突起部が前方に傾いた状態を示した側面図
【発明を実施するための形態】
【００１７】
＜実施形態１＞
本発明の実施形態１を図１ないし図１０の図面を参照しながら説明する。本実施形態における端子金具付き電線１０は、図１に示すように、電線Ｗと、この電線Ｗの端末に接続された端子金具２０とを備えて構成されている。電線Ｗは、複数の金属素線を束ねてなる芯線Ｗ１と、この芯線Ｗ１を覆う絶縁被覆Ｗ２とからなる。端子金具２０は、角筒状をなして前後方向に延びる本体部３０と、この本体部３０の後方に配されたバレル部４０とを備えて構成されている。
【００１８】
バレル部４０は、芯線Ｗ１に圧着されるワイヤバレル４１と、絶縁被覆Ｗ２に圧着されるインシュレーションバレル４２とを備えている。ワイヤバレル４１は一対のワイヤバレル片４１Ａを有し、これらのワイヤバレル片４１Ａの先端部を芯線Ｗ１の内部に食い込ませるようにして圧着されている。一方、インシュレーションバレル４２は一対のインシュレーションバレル片４２Ａを有し、これらのインシュレーションバレル片４２Ａを絶縁被覆Ｗ２に両側から巻き付けるようにして圧着されている。
【００１９】
本体部３０は、底壁３１と、この底壁３１の両側縁から対向状態で延出された一対の対向壁３２、３３と、左側対向壁（本体部３０の後側から見て左側に位置する対向壁であって、本発明の「一方の対向壁」に相当する）３３の延出端３３Ａから右側対向壁（本体部３０の後側から見て右側に位置する対向壁であって、本発明の「他方の対向壁」に相当する）３２に向けて延出された内側天井壁３４と、右側対向壁３２の延出端３２Ａから内側天井壁３４の外面３４Ａに沿って左側対向壁３３に向けて延出された外側天井壁３５とを備えて構成されている。
【００２０】
図８に示すように、本体部３０の内部には、底壁３１の前縁から後方に延出された弾性接触片３１Ａが形成されている。弾性接触片３１Ａの上面には、接点部３１Ｂが叩き出しによって上方に突出して形成されている。一方、内側天井壁３４の内面３４Ｂには、受け部３４Ｃが叩き出しによって下方に突出して形成されている。図示しないタブ端子が本体部３０内に前方から嵌合すると、タブ端子に押されて弾性接触片３１Ａが下方に撓み変形し、接点部３１Ｂと受け部３４Ｃの間にタブ端子が挟持された状態となって、タブ端子と端子金具２０が導通可能に接続される。なお、図９に示すように、弾性接触片３１Ａの下方には、補助バネ３１Ｃが設けられていて、弾性接触片３１Ａのバネ弾性を強化するようになっている。
【００２１】
図６に示すように、外側天井壁３５の一部を切り欠くことで内側天井壁３４の外面３４Ａを露出させる切欠部３５Ａが形成されており、この切欠部３５Ａにおいて受け部３４Ｃの一部が外部に臨んでいる。また、切欠部３５Ａの前縁には、Ｖ字状をなして後方に開口した係止部３５Ｂが形成されている。この係止部３５Ｂは、図７に示すように、後方に向けて高くなる形態とされ、その後端開口縁は、アンダーカット状とされている。図示しないランスが係止部３５Ｂに後方から係止することにより、端子金具２０がハウジング内に保持されるようになっている。
【００２２】
本体部３０の上面後端部には、スタビライザ（本発明の「突起部」の一例）３６が形成されている。このスタビライザ３６は、図６に示すように、外側天井壁３５にスリットＳを形成することで切り離された突片３７を切り起こして形成したものである。この突片３７は、図１０に示すように、外側天井壁３５の幅方向中央部から斜め方向に立ち上がる傾斜壁３７Ａと、この傾斜壁３７Ａの上端から下方に向かう垂直壁３７Ｂとから構成されている。傾斜壁３７Ａと垂直壁３７Ｂの連結部分は丸みを帯びており、傾斜壁３７Ａと外側天井壁３５の連結部分も丸みを帯びている。また、垂直壁３７Ｂは、左側対向壁３３と面一をなして配置されている。
【００２３】
また、図６ないし図８に示すように、突片３７の前縁にはテーパ状の面取り部３７Ｃが形成されている。ここで、突片３７の前縁は、図５に示す一括ゴム栓５０の孔５１に本体部３０を後方から挿入する際に、孔５１の内壁と接触する接触縁となる。さらに、面取り部３７Ｃは、図６に示すように、突片３７の前縁からスリットＳの前縁に亘って略Ｕ字状に連続して形成されている。このため、スタビライザ３６のうち本体部３０の外面（外側天井壁３５の上面）から上方に突出した部分においては、面取り部３７Ｃが全域に亘って形成されている。
【００２４】
さて、図１０に示すように、左側対向壁３３と内側天井壁３４を連結する角部には、突片３７の先端部３７Ｄが収容される凹部３８が形成されている。言い換えると、凹部３８は、左側対向壁３３から内側天井壁３４に亘って凹設されている。具体的には凹部３８は、垂直壁３７Ｂが垂直方向Ｐ１から当接する当接面３８Ａと、垂直壁３７Ｂが水平方向Ｐ２から当接する当接面３８Ｂとを備えて構成されている。
【００２５】
左側対向壁３３の当接面３８Ａは、左側対向壁３３の板厚方向の全域に亘って形成されており、内側天井壁３４の当接面３８Ｂは、内側天井壁３４の板厚方向の全域に亘って形成されている。凹部３８に突片３７の先端部３７Ｄが配されることで、同突片３７の先端部３７Ｄは凹部３８において左側対向壁３３の当接面３８Ａと内側天井壁３４の当接面３８Ｂの双方に当接可能とされている。したがって、スタビライザ３６が垂直方向Ｐ１からの力によって変形することを防止でき、同じく水平方向Ｐ２からの力によって変形することも防止できる。
【００２６】
本実施形態は以上のような構成であって、続いてその作用を説明する。図５に示すように、端子金具１０を一括ゴム栓５０の孔５１に後方から挿入していくと、本体部３０が孔５１を弾性変形させながら挿入が行われ、このとき、本体部３０は変形した孔５１の内壁から反力を受けることになる。そして、スタビライザ３６が孔５１の孔縁部に差し掛かると、スタビライザ３６が孔５１をさらに拡開させて変形させることになるため、スタビライザ３６は孔５１の内壁からさらに強い反力を受けることになる。この反力が作用する方向は、図１０に示す垂直方向Ｐ１と水平方向Ｐ２との２つである。しかしながら、垂直方向Ｐ１からの反力に対しては、突片３７の先端部３７Ｄが左側対向壁３３の当接面３８Ａに当接することで受け止め、水平方向Ｐ２からの反力に対しては、突片３７の先端部３７Ｄが内側天井壁３４の当接面３８Ｂに当接することで受け止めることになるため、スタビライザ３６が変形することはない。また、面取り部３７Ｃによって一括ゴム栓５０への傷付きが防止される。
【００２７】
以上のように本実施形態では、スタビライザ３６を構成する突片３７の先端部３７Ｄが凹部３８において内側天井壁３４に当接可能とされているから、一方の対向壁（左側対向壁３３）の延出端３３Ａから他方の対向壁（右側対向壁３２）の延出端３２Ａへ向かう力が作用した場合であってもスタビライザ３６が変形することを防止できる。
【００２８】
内側天井壁３４における突片３７の先端部３７Ｄとの当接面３８Ｂは、内側天井壁３４の板厚方向の全域に亘って形成されている構成としてもよい。このような構成によると、突片３７の先端部３７Ｄが内側天井壁３４に対して板厚方向の全域に亘って当接することになるから、スタビライザ３６の変形を確実に防止することができる。
【００２９】
スタビライザ３６は、一方の対向壁（左側対向壁３３）と面一をなす垂直壁３７Ｂを有している構成としてもよい。このような構成によると、垂直壁３７Ｂが一方の対向壁（左側対向壁３３）に対して面一に当接することになるから、スタビライザ３６を受け止めやすい構造となる。
【００３０】
一方の対向壁（左側対向壁３３）における垂直壁３７Ｂとの当接面３８Ａは、一方の対向壁（左側対向壁３３）の板厚方向の全域に亘って形成されている構成としてもよい。このような構成によると、垂直壁３７Ｂが一方の対向壁（左側対向壁３３）に対して板厚方向の全域に亘って当接することになるから、スタビライザ３６を力強く受け止めることができる。
【００３１】
本体部３０が一括ゴム栓５０の孔５１に挿入される際にスタビライザ３６において一括ゴム栓５０と接触する接触縁（前縁）には、面取り部３７Ｃが形成されている構成としてもよい。このような構成によると、本体部３０を一括ゴム栓５０の孔５１に挿入する際に面取り部３７Ｃが一括ゴム栓５０に接触することになり、スタビライザ３６によって一括ゴム栓５０に傷が付くことを防止できる。
【００３２】
＜実施形態２＞
次に、本発明の実施形態２を図１１の図面を参照しながら説明する。本実施形態の端子金具１２０は、実施形態１の凹部３８の構成を一部変更したものである。実施形態１と同じ構成については実施形態１と同一の符号を用いるものとし、実施形態１と重複する構成、作用、および効果についてはその説明を省略するものとする。
【００３３】
実施形態１の凹部３８は、突片３７の先端部３７Ｄの前側のみに当接面３８Ｃが形成されているのに対して、本実施形態の凹部１３８は、突片３７の先端部３７Ｄの前後両側に当接面１３８Ｃ、１３８Ｄが形成されている。このような構成によると、端子金具１２０を一括ゴム栓５０の孔５１に挿入する際に、スタビライザ３６が前方から力を受けても、その後側に配された当接面１３８Ｄによって突片３７の先端部３７Ｄが後方へ移動することを防止できる。また、端子金具１２０を一括ゴム栓５０の孔５１から引き抜く際に、スタビライザ３６が後方から力を受けても、その前側に配された当接面１３８Ｃによって突片３７の先端部３７Ｄが前方へ移動することを防止できる。この点は、実施形態１の端子金具２０も同様である。したがって、本実施形態の端子金具１２０によると、前方および後方のいずれから力を受けた場合であっても、突片３７の先端部３７Ｄが前後方向に移動することが抑制され、スタビライザ３６が変形することを防止できる。
【００３４】
＜実施形態３＞
次に、本発明の実施形態３を図１２ないし図１４の図面を参照しながら説明する。本実施形態の端子金具付き電線２１０は、図１２に示すように、電線Ｗと、端子金具２２０とを備えて構成されている。この端子金具２２０は、実施形態１のスタビライザ３６および凹部３８の構成を一部変更したものである。実施形態１と同じ構成については実施形態１と同一の符号を用いるものとし、実施形態１と重複する構成、作用、および効果についてはその説明を省略するものとする。
【００３５】
本実施形態のスタビライザ２３６は、突片２３７の前縁を一部切り欠くことで形成された切欠部２３７Ｅを有しており、この切欠部２３７Ｅと突片２３７の先端との間に保持突部２３９が形成されている。この保持突部２３９のうち切欠部２３７Ｅに臨んだ面はテーパ面とされ、このテーパ面は後方に向かうほど上方に向かう傾斜とされている。
【００３６】
一方、凹部２３８の前側には、内側天井壁３４の後端部を切り欠くことで形成された拡張凹部２３８Ａが設けられている。この拡張凹部２３８Ａは凹部２３８と連通しており、図１４に示すように、スタビライザ２３６の保持突部２３９が進入可能とされている。
【００３７】
図１３に示すように、スタビライザ２３６には、リテーナ６０が後方から係止しており、このリテーナ６０とランスの双方によって二重係止されることで端子金具２２０がハウジング内に保持されている。しかしながら、電線Ｗが強い力で引っ張られる等して、スタビライザ２３６がリテーナ６０によって前方に傾いた姿勢となる場合がある。このとき、図１４に示すように、スタビライザ２３６の保持突部２３９が拡張凹部２３８Ａに進入し、保持突部２３９のテーパ面が外側天井壁３５の後端部に対して下方から係止することでスタビライザ２３６の傾きが防止される。したがって、突片２３７の先端部２３７Ｄが凹部２３８に配された状態に保持される。ここで、仮にスタビライザ２３６がリテーナ６０の下方をすり抜けて端子金具２２０が後方に引き抜かれた場合に、突片２３７の先端部２３７Ｄによってリテーナ６０の係止壁が切り裂かれることを回避できる。
【００３８】
以上のように本実施形態３では、突起部（スタビライザ２３６）は、突片２３７の先端部２３７Ｄが凹部２３８に配された状態に保持する保持部（保持突部２３９）を備えた構成としてもよい。
このような構成によると、突片２３７の先端部２３７Ｄが凹部２３８からはみ出した状態となって、例えばリテーナ６０等の樹脂部を通過する際に、樹脂部を傷付けるおそれがない。
【００３９】
保持部は、外側天井壁３５に対して内側天井壁３４側から係止可能な保持突部２３９を有している構成としてもよい。
このような構成によると、保持突部２３９を外側天井壁３５に係止させることで突片２３７の先端部２３７Ｄが凹部２３８に配された状態に保持することができる。
【００４０】
突起部は、突片２３７の前縁を一部切り欠くことで形成された切欠部２３７Ｅを有しており、保持突部２３９は、切欠部２３７Ｅと突片２３７の先端との間に形成されている構成としてもよい。
このような構成によると、外側天井壁３５の端部を切欠部２３７Ｅに収容することによって保持突部２３９を外側天井壁３５に係止させることができる。
【００４１】
＜他の実施形態＞
本発明は上記記述及び図面によって説明した実施形態に限定されるものではなく、例えば次のような実施形態も本発明の技術的範囲に含まれる。
（１）実施形態１、２では、突起部としてスタビライザ３６を例示しているものの、本発明によると、リテーナに係止させる被係止部を突起部としてもよい。
【００４２】
（２）実施形態１、２では、凹部３８の当接面３８Ａ、３８Ｂが板厚方向の全域に亘って形成されているものの、本発明によると、板厚方向の一部に当接面を形成してもよい。
【００４３】
（３）実施形態１、２では、右側対向壁と面一をなす垂直壁３７Ｂを備えたスタビライザ３６を例示しているものの、本発明によると、垂直壁３７Ｂの代わりに傾斜壁を設けることで、全体として三角形状のスタビライザとしてもよい。
【００４４】
（４）実施形態１、２では、スタビライザ３６の前縁に面取り部３７Ｃを設けているものの、本発明によると、面取り部を設けなくてもよい。
【００４５】
（５）実施形態３では、内側天井壁３４の後端部を切り欠くことで拡張凹部２３８Ａを形成し、保持突部２３９が拡張凹部２３８Ａに進入するようにしているものの、本発明によると、外側天井壁を後方に延長させることで、保持突部２３９が外側天井壁の後端部に対して下方から係止するようにしてもよい。
【符号の説明】
【００４６】
１０…端子金具付き電線
２０、１２０、２２０…端子金具
３０…本体部
３１…底壁
３２…右側対向壁（他方の対向壁）
３２Ａ…延出端
３３…左側対向壁（一方の対向壁）
３３Ａ…延出端
３４…内側天井壁
３４Ａ…外面
３５…外側天井壁
３６、２３６…スタビライザ（突起部）
３７、２３７…突片
２３７Ｅ…切欠部
３７Ｂ…垂直壁
３７Ｃ…面取り部
３７Ｄ、２３７Ｄ…先端部
３８、１３８、２３８…凹部
３８Ａ…当接面
３８Ｂ…当接面
２３９…保持突部
５０…一括ゴム栓
５１…孔
３８Ｃ、１３８Ｃ…当接面
１３８Ｄ…当接面
【図１】
2015118914.tif 000003
【図２】
2015118914.tif 000004
【図３】
2015118914.tif 000005
【図４】
2015118914.tif 000006
【図５】
2015118914.tif 000007
【図６】
2015118914.tif 000008
【図７】
2015118914.tif 000009
【図８】
2015118914.tif 000010
【図９】
2015118914.tif 000011
【図１０】
2015118914.tif 000012
【図１１】
2015118914.tif 000013
【図１２】
2015118914.tif 000014
【図１３】
2015118914.tif 000015
【図１４】
2015118914.tif 000016